(57)【要約】異なる磁化を有する強磁性物体を区別するためのセキュリティー検査装置であって、センサーの周りの感度ゾーン（１２８）にわたる周囲磁場又は磁場勾配を示す信号を生成するように構成された少なくとも１つの磁気センサー（１０６）と、磁気センサーからの信号を入力として受信する回路と、信号が検出閾値を超えるか否かを判定し、検出に応答して警報信号を発する検出回路と、磁気センサーから所定の距離にある内側境界を含む検出ゾーンを感度ゾーン内に画定する検出ゾーン画定手段とを備える、セキュリティー検査装置。検出ゾーン画定手段は、ライフル、ショットガン又は爆弾の自殺ベストのような大きな磁化を有する物体が警報信号を発しさせる程度に検出ゾーン内で検出可能であり、一方、より小さな磁化を有する物体が警報を発しさせないように構成される。ゾーン画定手段は、ポール又はフェンスのような物理的な障害物（１３０）であることができる。
2019512088.tif 000002
【特許請求の範囲】
【請求項１】
異なる磁化を有する強磁性体を区別するためのセキュリティー検査装置であって、
センサーの周りの感度ゾーンにわたる周囲磁場又は磁場勾配を示す信号を生成するように構成された少なくとも１つの磁気センサーと、
前記磁気センサーからの信号を入力として受信する信号処理回路と、
信号が検出閾値を超えるか否かを判定し、検出に応答して警報信号を発する検出回路と、
前記磁気センサーから所定の距離にある内側境界を含む検出ゾーンを前記感度ゾーン内に画定する検出ゾーン画定手段であって、ライフル、ショットガン又は爆弾の自殺ベストのような大きな磁化を有する物体は警報信号を発しさせる程度に前記検出ゾーン内で検出可能であるが、より小さな磁化を有する物体は警報を発しさせないように構成される検出ゾーン画定手段と
を備える、セキュリティー検査装置。
【請求項２】
前記センサーと前記内側境界との間の距離は、少なくとも３０ｃｍ、４０ｃｍ、６０ｃｍ、又は８０ｃｍである、請求項１に記載のセキュリティー検査装置。
【請求項３】
前記検出閾値は、より小さな磁化を有する物体が警報を発しさせることなく前記検出ゾーンを通過することを可能にするように調節可能なユーザーが操作可能な制御装置によって決定される、請求項１又は２に記載のセキュリティー検査装置。
【請求項４】
前記検出ゾーンは外側境界も含み、それにより、大きな磁化を有する物体が警報信号を発しさせる程度に前記内側境界と前記外側境界との間で検出可能である、請求項１から３のいずれか一項に記載のセキュリティー検査装置。
【請求項５】
前記内側境界と前記外側境界との間の距離は、人の全身が入るのに十分な大きさである、請求項４に記載のセキュリティー検査装置。
【請求項６】
前記内側境界と前記外側境界との間の距離は、少なくとも６０ｃｍ、又は少なくとも８０ｃｍである、請求項４又は５に記載のセキュリティー検査装置。
【請求項７】
大きな磁化を有する物体は、所定の限界を超える磁化を有する物体として定義される、請求項１から６のいずれか一項に記載のセキュリティー検査装置。
【請求項８】
前記所定の限界は、３０〜５００ｍＡ・ｍ2、より好ましくは７０〜３００ｍＡ・ｍ2、最も好ましくは実質的に１００ｍＡ・ｍ2である、請求項７に記載のセキュリティー検査装置。
【請求項９】
前記所定の距離は、前記所定の限界及び前記装置の閾値感度の関数によって決定される、請求項１から８のいずれか一項に記載のセキュリティー検査装置。
【請求項１０】
前記感度ゾーンの各境界は、１つ以上の物理的な障害物を含む、請求項１から９のいずれか一項に記載のセキュリティー検査装置。
【請求項１１】
前記物理的な障害物は、磁場が比較的妨げられずに通過することを可能にする、請求項１０に記載のセキュリティー検査装置。
【請求項１２】
前記検出ゾーンの各境界は、１つ以上の案内線を含む、請求項１から１１のいずれか一項に記載のセキュリティー検査装置。
【請求項１３】
人が前記検出ゾーンの外側を通過したときに検知するための距離計を更に備え、前記距離計は更なる警報信号を発する、請求項１から１２のいずれか一項に記載のセキュリティー検査装置。
【請求項１４】
前記警報信号及び／又は更なる警報信号は、可視警報、可聴警報、又は電子信号を含む、請求項１から１３のいずれか一項に記載のセキュリティー検査装置。
【請求項１５】
前記警報信号及び／又は更なる警報信号は、遠隔の警報ユニットを作動させる、請求項１から１４のいずれか一項に記載のセキュリティー検査装置。
【請求項１６】
実質的に図４ａ及び４ｂ又は図６を参照して説明したセキュリティー検査装置。
【請求項１７】
センサーの周りの感度ゾーンにわたる周囲磁場又は磁場勾配を示す信号を生成するように構成された少なくとも１つの磁気センサーと、前記磁気センサーからの信号を入力として受信する信号処理回路と、信号が検出閾値を超えるか否かを判定し、検出に応答して警報信号を発する検出回路とを備えるセキュリティー検査装置を組み立てる方法であって、
ライフル、ショットガン又は爆弾の自殺ベストのような大きな磁化を有する物体は警報信号を発しさせる程度に検出ゾーン内で検出可能であるが、より小さな磁化を有する物体は警報を発しさせないように、検出ゾーンの内側境界が前記磁気センサーから少なくとも所定の距離となるように、前記セキュリティー検査装置又は前記感度ゾーン内に検出ゾーンを画定するための検出ゾーン画定手段を位置決めするステップを含む、方法。
【請求項１８】
より小さな磁化を有する物体が警報を発しさせることなく前記検出ゾーンを通過することを可能にするために、ユーザーが操作可能な制御装置によって決定される検出閾値を調節するステップを更に含む、請求項１７に記載の方法。
【請求項１９】
前記検出ゾーンに外側境界が設けられ、大きな磁化を有する物体が警報信号を発しさせる程度に前記内側境界と前記外側境界との間で検出されるように、前記セキュリティー検査装置又は前記検出ゾーン画定手段を位置決めするステップを更に含む、請求項１７又は１８に記載の方法。
【請求項２０】
前記セキュリティー検査装置又は前記検出ゾーン画定手段を位置決めするための指示装置の使用を更に含む、請求項１７から１９のいずれか一項に記載の方法。
【請求項２１】
前記指示装置は取扱説明書を含む、請求項２０に記載の方法。
【請求項２２】
前記指示装置はテンプレートを含む、請求項２０又は２１に記載の方法。
【請求項２３】
請求項１７から２２のいずれか一項に記載の方法を可能にするための部品キットであって、センサーの周りの感度ゾーンにわたる周囲磁場又は磁場勾配を示す信号を生成するように構成された少なくとも１つの磁気センサーと、前記磁気センサーからの信号を入力として受信し、前記信号の変化に応答して警報信号を発する信号処理回路と、指示装置とを含むセキュリティー検査装置を備える、部品のキット。
【請求項２４】
前記指示装置は取扱説明書を含む、請求項２３に記載の部品のキット。
【請求項２５】
前記指示装置はテンプレートを含む、請求項２３又は２４に記載の部品のキット。
【請求項２６】
検出ゾーン画定手段を更に備える、請求項２３から２５のいずれか一項に記載の部品のキット。
【発明の詳細な説明】
【技術分野】
【０００１】
本発明は、セキュリティーシステム及びセキュリティーシステムの使用方法に関する。特に、本発明は、比較的高い磁化を有する物体の存在下でのみ警報信号を発するように構成され得るセキュリティーシステムに関する。
【背景技術】
【０００２】
公共の場所で標的を定めた攻撃の例があるため、以前は不要と考えられていた場所にセキュリティーを提供することに関心が高まっている。例えば、ショッピングモール、スポーツイベント、コンサートホール及び他の「ソフトターゲット」はすべてセキュリティーが強化されている。しかしながら、多くの人がセキュリティー検査を受ける必要がある場合、このセキュリティーを提供する現在の方法は遅く、混乱を起こさせる。
【０００３】
群衆が集まるあらゆる場所で従来のセキュリティーチェックポイントを運用することは現実的でも手頃でもない。銃を見つけるためのアーチウェイ金属探知機又は磁気探知機の私用は遅いため、人の流れが制限される。これは、特に大きい流れが必要な状況では不便で望ましくない。
【発明の概要】
【発明が解決しようとする課題】
【０００４】
このような場所のセキュリティーを強化するために、従来のセキュリティーチェックポイントよりも大幅に高いスループットの能力があり且つ実質的に低いコストで動作可能なセキュリティーチェックポイントを有することが有益であろう。このようなチェックポイントは、特に「ソフトターゲット」と見なされる場所では、はるかに広範囲に且つより多くの数で配備されることができる。
【課題を解決するための手段】
【０００５】
本発明の第１の態様によれば、異なる磁化を有する強磁性物体を区別するためのセキュリティー検査装置であって、センサーの周りの感度ゾーンにわたる周囲磁場又は磁場勾配を示す信号を生成するように構成された少なくとも１つの磁気センサーと、磁気センサーからの信号を入力として受信する信号処理回路と、信号が検出閾値を超えるか否かを判定し、検出に応答して警報信号を発するする検出回路と、磁気センサーから所定の距離にある内側境界を含む検出ゾーンを感度ゾーン内に画定する検出ゾーン画定手段であって、ライフル、ショットガン又は爆弾の自殺ベストのような大きな磁化を有する物体は警報信号を発しさせる程度に検出ゾーン内で検出可能であるが、より小さな磁化を有する物体は警報を発しさせないように構成される検出ゾーン画定手段とを備えるセキュリティー検査装置が提供される。
【０００６】
センサーと内側境界との間の距離は、少なくとも３０ｃｍ、４０ｃｍ、６０ｃｍ、又は８０ｃｍであることができる。
【０００７】
検出閾値は、より小さな磁化を有する物体が警報を発しさせることなく検出ゾーンを通過することを可能にするように調節可能なユーザーが操作可能な制御装置によって決定されることができる。
【０００８】
好ましくは、検出ゾーンは、外側境界を含むことができ、それにより、大きな磁化を有する物体が、警報信号を発しさせる程度に内側境界と外側境界との間で検出可能である。
【０００９】
内側境界と外側境界との間の距離は、人の全身が入るのに十分な大きさであるか、或いは少なくとも１メートル、少なくとも２メートル、又は少なくとも３メートルであることが好ましい。
【００１０】
好ましくは、大きな磁化を有する物体は、所定の限界を超える磁化を有するものとして定義される。所定の限界は、３０〜５００ｍＡ・ｍ2、より好ましくは７０〜３００ｍＡ・ｍ2、最も好ましくは実質的に１００ｍＡ・ｍ2であることができる。これらの限界は、さまざまな武器やその他のアイテムの磁化の統計的分布に基づいている。従って、本発明の所定の限界は、提案されるものよりも高いか又は低い磁化を有するアイテムを優先的に検出することが目的である場合、これらの範囲外になることがある。
【００１１】
所定の距離は、所定の限界及び装置の閾値感度の関数によって決定されることができる。
【００１２】
有利には、検出ゾーンの各境界は、１つ以上の物理的な障害物を含むことができる。これらの障害物は、ポール又はフェンスのような独立して立っている障害物、或いは壁などを含む建築的な特徴などの既存の障害物を含む。好ましくは、物理的な障害物は、磁場が比較的妨げられずに通過することを可能にする。
【００１３】
検出ゾーンの各境界は、人をセンサーからの正確な距離における感度ゾーンに導くように作用する１つ以上の案内線を追加的又は代替的に含むことができる。
【００１４】
センサーは、人間又は物体が支持されている床から所定の距離として支持され、内側境界は、床上の人又は物体の最も近い部分からのセンサーの距離によって決定される範囲内に設定される。床より上にある場合、最も近い部分は通常、立っている人の頭であり、床より下にある場合、最も近い部分は通常、足である。いずれの場合も障害物、床の下の地面又は空間或いは人又は物の上に空気がある。
【００１５】
セキュリティー検査装置は人が検出ゾーンの外を通過したときに検知するための距離計を更に備え、距離計は更なる警報信号を発することが有益であり得る。
【００１６】
警報信号及び／又は更なる警報信号は、可視警報、可聴警報、又は電子信号を含むことができる。このように、警報は、必ずしもシステムのすぐ近くで発される必要はなく、電子信号は、例えば他のシステムを始動させることができる。このような状況の１つでは、警報信号及び／又は更なる警報信号は、遠隔の警報ユニットを作動させることができる。
【００１７】
本発明の第２の態様によれば、センサーの周りの感度ゾーンにわたる周囲磁場又は磁場勾配を示す信号を生成するように構成された少なくとも１つの磁気センサーと、磁気センサーからの信号を入力として受信する信号処理回路と、信号が検出閾値を超えるか否かを判定し、検出に応答して警報信号を発する検出回路とを備えるセキュリティー検査装置を組み立てる方法であって、ライフル、ショットガン又は爆弾の自殺ベストのような大きな磁化を有する物体は警報信号を発しさせる程度に検出ゾーン内で検出可能であるが、より小さな磁化を有する物体は警報を発しさせないように、検出ゾーンの内側境界が磁気センサーから少なくとも所定の距離となるように、セキュリティー検査装置又は感度ゾーン内に検出ゾーンを画定するための検出ゾーン画定手段を位置決めするステップを含む方法が提供される。
【００１８】
この方法は、より小さな磁化を有する物体が警報を発しさせることなく検出ゾーンを通過することを可能にするために、ユーザーが操作可能な制御装置によって決定される検出閾値を調節するステップを更に含むことができる。
【００１９】
好ましくは、この方法は、検出ゾーンに外側境界が設けられ、大きな磁化を有する物体が警報信号を発しさせる程度に内側境界と外側境界との間で検出可能であるように、セキュリティー検査装置又は検出ゾーン画定手段を位置決めするステップを更に含む。
【００２０】
セキュリティー検査装置又は検出ゾーン画定手段を位置決めするために指示装置を使用することができる。指示装置は、取扱説明書又はテンプレートを含むことができる。
【００２１】
本発明の第３の態様によれば、本発明の第２の態様による方法を可能にするための部品のキットであって、センサーの周りの感度ゾーンにわたる周囲磁場又は磁場勾配を示す信号を生成するように構成された少なくとも１つの磁気センサーと、磁気センサーからの信号を入力として受信し、信号の変化に応答して警報信号を発する信号処理回路と、指示装置とを含むセキュリティー検査装置を備える部品のキットが提供される。
【００２２】
好ましくは、指示装置は、取扱説明書及び／又はテンプレートを含むことができる。
【００２３】
部品のキットは、好ましくは、検出ゾーン画定手段を含むことができる。
【図面の簡単な説明】
【００２４】
以下、添付の図面を参照して本発明を詳細に説明する。
【図１】様々な強磁性物体の測定された磁気モーメントの範囲を示す。
【図２】物体の磁気双極子からの距離に対する磁場強度の関係を示す。
【図３ａ】従来のセキュリティー検査装置の検出閾値と、異なる磁化を有する２つの対象物との関係を示す。
【図３ｂ】本発明の第１の態様によるセキュリティー検査装置の検出閾値と、異なる磁化を有する２つの物体との関係を示す。
【図４ａ】検出ゾーン画定手段の一部として内側境界と任意選択の外側境界とを含む、本発明の第１の態様の実施形態を示す。
【図４ｂ】検出ゾーン画定手段の一部として内側境界と任意選択の外側境界とを含む、本発明の第１の態様の実施形態を示す。
【図５】図５のセキュリティー検査装置の電子回路を示す。
【図６】出入口の周りに配置された本発明の第２の実施形態を示す。
【発明を実施するための形態】
【００２５】
高スループットを提供するために、標準的な金属検出器に含まれる実際的必要性のいくつかを避けることが望ましい。アーチウェイ金属探知機を使用する場合、通過する人は通過する前に金属性の所持品を取り除く必要がある。金属性の物を取り除いて再び身に付けるのにかかる時間は、各アーチウェイ装置で可能なスループットを制限する。分離しなければ、金属性の物が通過することによって生じるクラッターが、検出器を無効にする。
【００２６】
図１に示すように、多くの異なる武器及び所持品の測定された磁気モーメントは、出願人によって記録されている。これらは、携帯電話、ブラのアンダーワイヤー、靴のシャンクなどの日用品と、ナイフ及び拳銃から、ロングガン、ロケットランチャーまで様々である武器とを含む。出願人は、大量殺人の大部分は、図１のロングガンのカテゴリーに含まれるアサルトライフルのような自動又は半自動の武器の使用によって可能になることに気付いた。
【００２７】
磁気モーメントを測定されたロングガンは、カラシニコフ系２２種、Ｍ１６及びＧ３系の各８種、ＦＡＬ系６種、ショットガン８種、その他の攻撃用武器２３種である。図１からわかるように、いくつかの例外を除いて、ロングガンは少なくとも３０ｍＡ・ｍ2の磁気モーメントを有する。しかしながら、携帯電話及び靴のシャンクもまた、例えば、最大１００ｍＡ・ｍ2のより少ない磁気のロングガンの一部と同様の磁気モーメントを有することがある。
【００２８】
従って、セキュリティーポイントを過ぎた人のスループットから一般的な強磁性物体を切り離すことを必要とせずに、ロングガンのより高い磁気モーメントと他の物体とを区別することができるシステムが有益であると、出願人は考えている。
【００２９】
強磁性検出の分野では、物体の磁気モーメント又は磁性に関連する磁場が、物体の検出器からの距離に対する逆べき乗則に従うことが知られている。この関係を図２に示す。ここで、Ｂは磁場強度、ｒは物体の検出器からの距離である。
【００３０】
双極子限界として知られる磁場が測定される範囲と比較して強磁性物体の長さが短い場合、磁場強度Ｂは、検出器からの距離ｒの３乗に反比例する。ｒが対象物の長さと同じかそれより短いより短い距離では、磁界強度はｒの低いべき乗に比例して変化するが、依然として増加する範囲では減衰する。一般に、磁場は以下のように変化する。
【数１】
2019512088.tif 000003
【００３１】
ここで、ｍは磁化であり、α（ｒ）は遠距離では３、それ以外ではより小さく、ｋはｒ、Ｂ、ｍ間の角度の幾何学に特有の比例定数である。簡単にするために、長距離の場合を考えると、以下のようになる。
【数２】
2019512088.tif 000004
【００３２】
従って、強磁性物体の検出に一般的に使用されるような単一の磁力計を使用する場合、検出器からのその範囲を知らずに物体の磁化を確認することは不可能であり、逆もまた同様である。すなわち、検出器から遠い距離にある自動ライフルのような大きな磁化を有する検出器は、検出器からより短い距離にある携帯電話のような、より小さな磁化を有する物体と同じ磁界強度を有し得る。
【００３３】
しかしながら、上記方程式を微分することによって、磁場の均一性は、以下のように検出器から遠ざかるにつれて増加することが分かる。
【数３】
2019512088.tif 000005
【００３４】
異なる磁化を有する２つの物体１、２について範囲に対する磁場強度を示す図３ａに示すように、既知の強磁性検出器システムの使用に関する固有の問題が示されている。既知の装置では、検出器は、小さな物体に起因する磁場の変動による誤警報の可能性を防止又は制限するために選択される特定の検出閾値ＢＴを超える磁場が検出されるたびに警報信号を発する。見て分かるように、これは、より小さな磁性の物体１が検出器に近づくほど、誤警報を発する可能性が高いことを意味する。
【００３５】
反対に、図３ｂには、本発明によるシステムが示されている。ここで、検出器は、所定のレベル以下の磁化を有する低磁性物体１が誤警報を引き起こすことができないが、一方、高磁性物体２は依然として警報信号を作動させ得るように、検出器が動作する動作範囲が制限されるように構成される。
【００３６】
本発明によるセキュリティー検査装置１００の第１の実施形態を図４ａ及び４ｂに示す。本実施形態のセキュリティー検査装置１００は、アルミニウム又は他の非鉄材料で作られた細長いポール状のハウジング１０２を備える。ハウジング１０２は、装置を動作させるために必要とされるすべてのセンサー及び電子回路を入れている。電子回路を図５に示す。
【００３７】
バッテリー又は主電源であることができる電源１０４が、周囲磁場を検出することができる磁気センサー１０６に接続されている。従って、この種の磁気センサー１０６は、センサー近傍の人によって運ばれる強磁性物体を取り囲む磁場によって引き起こされる磁場の変化を感知することができる。このような磁気センサー１０６は、一次、二次、又は高磁場グラジオメーター（勾配計）或いは磁力計又はグラジオメーターのアレイであることができる。
【００３８】
磁気センサーから得られる信号は、検出及び任意の静的なバックグラウンド場と干渉し得るノイズを除去するためにバンドパスフィルター１０８のようなフィルターを通過し、その後、増幅器１１０を通過することができる。増幅されると、信号は、可変抵抗器１１２によって調節されることができる、システムの閾値感度、すなわち検出閾値と比較される。比較は比較器１１４によって完了される。
【００３９】
任意の所与の時間に磁気センサー１０６によって検出される磁場の強度を示すために、マグニチュードインジケータ１１６を使用することもできる。このようなインジケータ１１６は、一連のライトのような視覚的インジケータ、又は任意の他の種類のインジケータを含むことができる。
【００４０】
センサー１０６からの信号は直ちにデジタル化されることができ、以下のすべての機能が同等にデジタルプロセッサのアルゴリズムであることができることが、当業者には理解されるであろう。
【００４１】
信号が装置１００の閾値感度を超えると判定された場合、ラッチ１１８が作動され、警報信号１２０が生成される。ラッチ１１８は、所定の期間の後に警報信号１２０が自動的にキャンセルされるように、リセットディレイ１２２と結合する。しかしながら、ラッチ１１８は本発明に必須ではなく、代わりに比較器１１４が警報信号１２０の出力を直接もたらすことができ、警報信号１２０は信号が装置１００の閾値感度を下回ると即座に解除される。
【００４２】
警報信号１２０は、光のような視覚的警報、アラームのような可聴警報であることができ、或いは別個の装置で警報を生成する無線信号のような電子信号であることができる。例えば、異常に大きな磁場の存在を示すために、セキュリティーシステム全体又は制御室と通信する無線信号が生成されることができる。現在示されている実施形態では、警報信号１２０は、ハウジング１０２の上端に向かって配置されたビーコン１２４である。
【００４３】
再び図４ａを参照すると、検出ゾーン画定手段が、装置の感度ゾーン１２８内に内側境界１２６を画定する。この内側境界１２６は、人と、従って人が運んでいるかもしれな強磁性物体とが、磁気センサー１０６の所定の距離ｘよりも近くを通過するのを防ぐように作用する。所定の距離は、磁気センサー１０６の閾値感度と検出されることが望ましい物体の磁化の所定の限界との関数によって決定されることができる。従って、検出ゾーン画定手段は感度ゾーン内に検出ゾーンを画定し、検出ゾーン内で大きな磁化を有する物体を検出することができる。
【００４４】
閾値磁場Ｂ＿Ｔと無視すべき最大磁気モーメントｍ＿ｍａｘと検出ゾーンｘまでの最小距離との関係は、
【数４】
2019512088.tif 000006
によって与えられ、ｋはＳＩ単位で２ｘ１０−７の定数である。
【００４５】
実際には、この装置のユーザーは、あらゆる状況に対してこの計算を実行することが期待できないので、以下の手法を採用することができる。内側境界は、４０〜８０ｃｍ、好ましくは６０ｃｍであることが判明した広く感知できる値に設定することができる。閾値Ｂ＿Ｔは、検査される大部分の人が検出されずに通過するように、例えば、可変抵抗器１１２のようなユーザーが操作可能な制御装置によって設定されることができる。従って、最大モーメントｍ＿ｍａｘを経験的に決定する必要はない。これは、簡単な制御を用いて各状況に対して装置を簡単に最適化し、異なる状況で遭遇する可能性のある異なるｍ＿ｍａｘに適合することができる。
【００４６】
本実施形態の内側境界１２６は、物理的な障害物１３０の形態を取り、物理的な障害物１３０は、この場合はポールである。物理的な障害物１３０の結果、所定の限界未満の磁化を有する強磁性体は、それらが予め定められた距離ｘより近くに磁気センサー１０６に接近することができないことにより、警報信号を作動させることができないことである。
【００４７】
磁気センサーは、検査される人又は物体より上に配置され、例えば構台に取り付けられるか又は天井から懸架されることができる。この場合、物理的な障害物は、センサーの高さと事実上床によって位置が拘束されている人又は物体の高さとの間の自然なクリアランスである。逆に、磁気センサーは、検査される人又は物体より下に、例えば床の下に設置されることができる。この場合、物理的な障害物は、人がどこに配置されるかを決定する床自体によって提供される制約と組み合わせたセンサーの埋設深さである。いずれの場合も、検出ゾーン画定手段は、少なくとも部分的にセンサーの支持と床によって画定される。
【００４８】
代わりに、検出ゾーンは、物理的な障害物１３０ではなく、案内線又は他のマークによって画定されることができる。従うと、案内線又は他のマークは、物理的な障害物１３０の使用と同じ効果をもたらすであろう。
【００４９】
図４ｂでは、図４ａに示されるシステムに外側境界１３２が追加されている。この外側境界１３２は、内側境界１２６と同じ機能を果たすが、物体が磁気センサー１０６からあまりにも遠くを通過するのを防ぐことに関連している。大きな磁化を有する物体が距離ｙを超えて感度ゾーン１２８を通過することを許され、その後、磁気センサー１０６によって検出されたそれらの磁場がシステムの閾値感度未満である場合、磁気センサー１０６が警報信号１２０を発することはない。このため、外側境界１３２はこのような出来事を防ぐように作用する。内側境界１２６と同様、外側境界１３２も物理的な障害物１３０の形態を取るが、上述のように、これは必ずしもそうでなくてよい。
【００５０】
従って、本実施形態の検出ゾーン画定手段は、検出ゾーンの内側境界及び外側境界を規定する物理的な障害物を備える。従って、検出ゾーンは物理的な障害物の間の領域であり、検出ゾーン内では、所定の限界を超える磁化を有するような大きな磁化を有する物体が検出され、より小さな磁化を有する物体は検出されない。
【００５１】
図６は、本発明の第１の態様のセキュリティー検査装置２００の第２の実施形態を示す。ただし、この実施形態では、システムは出入り口２３４と共に使用されている。第２の実施形態は、２つのハウジング２０２ａ、２０２ｂを含み、ハウジング２０２ａ、２０２ｂの各々が磁気センサー及び回路を含む。実施形態のハウジング２０２ａ、２０２ｂ、磁気センサー、及び回路構成は、第１の実施形態と同様又は同一であると考えることができ、従って、簡潔にするために、詳細な説明の実質的な繰り返しはここでは省略する。また、可能であれば、第１の実施形態と同様又は同一の符号が使用される。
【００５２】
検出ゾーン（図示せず）の内側境界２２６ａ、ｂを画定するのに使用するための別個の物理的な障害物を設けるのではなく、第２の実施形態は、それらが取り付けられる構造体の建築的な特徴を利用する。従って、出入口２３４の縁２３６ａ、２３６ｂは、各検出ゾーンの内側境界２２６ａ、２２６ｂとして働く。
【００５３】
各検出ゾーンの内側境界２２６ａ、２２６ｂが感度ゾーン（図示せず）内の正しい場所にあるために、且つ出入口２３４自体が固定されているので、ハウジング２０２ａ、２０２ｂは、それらの対応する内側境界２２６ａ、２２６ｂから正しい距離ｘ１、ｘ２に位置決めされる必要がある。これを助けるために、各ハウジングを正確に位置決めするために使用され得るテンプレート２３８のような指示装置を含むことが必要な場合がある。テンプレート２３８は、後に除去されることができる。或いは、テンプレート２３８の代わりに、検出ゾーン画定手段の建築的な特徴又は他の形態に対する筐体の正確な位置決めを簡単に記載する、取扱説明書が使用可能なことがある。
【００５４】
閾値感度又は磁化の所定の限界が調節される場合、検出ゾーンの境界からの距離も調節することが望ましいことは明らかである。従って、テンプレート２３８は、閾値感度の様々な設定に対応する様々なマーキング２４０、又は磁化の様々な所定の限界に対応するマーキング２４０を含むことができる。これは、セキュリティー検査装置２００の適切な組み立てを支援する。
【００５５】
第２の実施形態を考慮すると、どちらのハウジング２０２ａ、２０２ｂの検出ゾーンにも外側境界を設ける必要がないことが明らかであろう。これは、人が出入り口２３４を通って移動しているときに、彼らは必然的に一方又は両方のハウジング２０２ａ、２０２ｂの検出ゾーンに入るからである。仮想の外側境界が互いに一致するか、又は反対のハウジング２０２ａ、２０２ｂにより近い位置にある限り、外側境界は必要ない。１つのハウジング及び磁気センサーのみが使用されるようにセキュリティー検査装置が適合される場合、ドアフレームの反対側の縁が仮想の外側境界よりも磁気センサーから遠い場合には外側境界を含むことが望ましいことがある。
【００５６】
装置の空間的な向きは限定又は制限されていない。例えば、センサーを床より下の距離ｘに配置し、人又は物体がそれより上を通過するか、又はセンサーが頭の高さより上の距離ｘにあり、人がそれより下を歩くことができる。このような場合には、人や物体がセンサーの上又は下を直接通過することを保証するために追加の制限が必要となる。
【００５７】
上述した実施形態から明らかなように、より大きな磁化を有する物体が検出可能な検出ゾーンは、人の全身が通過するのに十分な大きさであることが望ましい。これにより、セキュリティー検査装置を避けることができないようにすることが保証される。検出ゾーンが例えば１メートル又は２メートルのように広い場合、これにより、より多くの人がいつでも検出ゾーンを通過することが可能になる。しかしながら、図６に示すように対向して設置された２つ以上の装置を有することは、１つの装置よりも広いゾーン２３４を可能にするので有益であり得る。
【００５８】
内側境界及び／又は外側境界を画定する検出ゾーン画定手段は、セキュリティー検査装置のハウジングの一部として設けることができる。これにより、必要に応じてシステム全体を容易に再配置することができ、また、内側境界及び／又は外側境界が動作のために常に適切な位置にあることを確実にすることができる。
【００５９】
第２の実施形態は、出入口の周りに取り付けられていると記載されているが、代わりにドア、柱、又は壁などの構造的な特徴の内部に形成されることができ、或いは、構造的な特徴を依然として検出ゾーン画定手段として利用しながら、このような構造的な特徴によって自立することができる。
【００６０】
必要に応じて、人が検出ゾーンの外側を通っているときに検知する距離計を検出ゾーン画定手段として使用することが可能である。このような距離計は、レーダ又は赤外線検出器などを含むことができ、人が検出可能な距離を超えていることをユーザーに警告するために更なる警報信号が生成されるように構成されることができる。従って、セキュリティーサービスなどによってこれらの人々に更なる検査を行うことができ、或いは、再び感度ゾーンを通過するようにこれらの人々の向きを変えることができる。
【００６１】
特に武器の検出の観点から説明したが、上記のようなシステムは、安全ではない領域に入っていることを人に警告するという点でも同様に有用である。例えば、発射体となり得る大きな磁化を有する物体を有するＭＲＩ装置の近くに人が進入するのを防ぐことが望ましい。従って、上記のようなセキュリティー検査装置をＭＲＩ室の入口の外側に配置することにより、侵入前に警報を鳴らすことができる。
【図１】
2019512088.tif 000007
【図２】
2019512088.tif 000008
【図３ａ】
2019512088.tif 000009
【図３ｂ】
2019512088.tif 000010
【図４ａ】
2019512088.tif 000011
【図４ｂ】
2019512088.tif 000012
【図５】
2019512088.tif 000013
【図６】
2019512088.tif 000014
【手続補正書】
【提出日】平成30年10月16日(2018.10.16)
【手続補正２】
【補正対象書類名】特許請求の範囲
【補正対象項目名】全文
【補正方法】変更
【補正の内容】
【特許請求の範囲】
【請求項１】
異なる磁化を有する強磁性体を区別するためのセキュリティー検査装置であって、
センサーの周りの感度ゾーンにわたる周囲磁場又は磁場勾配を示す信号を生成するように構成された少なくとも１つの磁気センサーと、
前記磁気センサーからの信号を入力として受信する信号処理回路と、
信号が検出閾値を超えるか否かを判定し、検出に応答して警報信号を発する検出回路と、
前記磁気センサーから所定の距離にある内側境界を含む検出ゾーンを前記感度ゾーン内に画定する検出ゾーン画定手段であって、ライフル、ショットガン又は爆弾の自殺ベストのような大きな磁化を有する物体は警報信号を発しさせる程度に前記検出ゾーン内で検出可能であるが、より小さな磁化を有する物体は警報を発しさせないように構成される検出ゾーン画定手段と
を備える、セキュリティー検査装置。
【請求項２】
前記センサーと前記内側境界との間の距離は、少なくとも３０ｃｍ、４０ｃｍ、６０ｃｍ、又は８０ｃｍである、請求項１に記載のセキュリティー検査装置。
【請求項３】
前記検出閾値は、より小さな磁化を有する物体が警報を発しさせることなく前記検出ゾーンを通過することを可能にするように調節可能なユーザーが操作可能な制御装置によって決定される、請求項１又は２に記載のセキュリティー検査装置。
【請求項４】
前記検出ゾーンは外側境界も含み、それにより、大きな磁化を有する物体が警報信号を発しさせる程度に前記内側境界と前記外側境界との間で検出可能である、請求項１から３のいずれか一項に記載のセキュリティー検査装置。
【請求項５】
前記内側境界と前記外側境界との間の距離は、人の全身が入るのに十分な大きさである、請求項４に記載のセキュリティー検査装置。
【請求項６】
前記内側境界と前記外側境界との間の距離は、少なくとも６０ｃｍ、又は少なくとも８０ｃｍである、請求項４又は５に記載のセキュリティー検査装置。
【請求項７】
大きな磁化を有する物体は、所定の限界を超える磁化を有する物体として定義される、請求項１から６のいずれか一項に記載のセキュリティー検査装置。
【請求項８】
前記所定の限界は、３０〜５００ｍＡ・ｍ2、より好ましくは７０〜３００ｍＡ・ｍ2、最も好ましくは実質的に１００ｍＡ・ｍ2である、請求項７に記載のセキュリティー検査装置。
【請求項９】
前記所定の距離は、前記所定の限界及び前記装置の閾値感度の関数によって決定される、請求項１から８のいずれか一項に記載のセキュリティー検査装置。
【請求項１０】
前記感度ゾーンの各境界は、１つ以上の物理的な障害物を含む、請求項１から９のいずれか一項に記載のセキュリティー検査装置。
【請求項１１】
前記物理的な障害物は、磁場が比較的妨げられずに通過することを可能にする、請求項１０に記載のセキュリティー検査装置。
【請求項１２】
前記検出ゾーンの各境界は、１つ以上の案内線を含む、請求項１から１１のいずれか一項に記載のセキュリティー検査装置。
【請求項１３】
人が前記検出ゾーンの外側を通過したときに検知するための距離計を更に備え、前記距離計は更なる警報信号を発する、請求項１から１２のいずれか一項に記載のセキュリティー検査装置。
【請求項１４】
前記警報信号及び／又は更なる警報信号は、可視警報、可聴警報、又は電子信号を含む、請求項１から１３のいずれか一項に記載のセキュリティー検査装置。
【請求項１５】
前記警報信号及び／又は更なる警報信号は、遠隔の警報ユニットを作動させる、請求項１から１４のいずれか一項に記載のセキュリティー検査装置。
【請求項１６】
センサーの周りの感度ゾーンにわたる周囲磁場又は磁場勾配を示す信号を生成するように構成された少なくとも１つの磁気センサーと、前記磁気センサーからの信号を入力として受信する信号処理回路と、信号が検出閾値を超えるか否かを判定し、検出に応答して警報信号を発する検出回路とを備えるセキュリティー検査装置を組み立てる方法であって、
ライフル、ショットガン又は爆弾の自殺ベストのような大きな磁化を有する物体は警報信号を発しさせる程度に検出ゾーン内で検出可能であるが、より小さな磁化を有する物体は警報を発しさせないように、検出ゾーンの内側境界が前記磁気センサーから少なくとも所定の距離となるように、前記セキュリティー検査装置又は前記感度ゾーン内に検出ゾーンを画定するための検出ゾーン画定手段を位置決めするステップを含む、方法。
【請求項１７】
より小さな磁化を有する物体が警報を発しさせることなく前記検出ゾーンを通過することを可能にするために、ユーザーが操作可能な制御装置によって決定される検出閾値を調節するステップを更に含む、請求項１６に記載の方法。
【請求項１８】
前記検出ゾーンに外側境界が設けられ、大きな磁化を有する物体が警報信号を発しさせる程度に前記内側境界と前記外側境界との間で検出されるように、前記セキュリティー検査装置又は前記検出ゾーン画定手段を位置決めするステップを更に含む、請求項１６又は１７に記載の方法。
【請求項１９】
前記セキュリティー検査装置又は前記検出ゾーン画定手段を位置決めするための指示装置の使用を更に含む、請求項１６から１８のいずれか一項に記載の方法。
【請求項２０】
前記指示装置は取扱説明書を含む、請求項１９に記載の方法。
【請求項２１】
前記指示装置はテンプレートを含む、請求項１９又は２０に記載の方法。
【請求項２２】
請求項１６から２１のいずれか一項に記載の方法を可能にするための部品キットであって、センサーの周りの感度ゾーンにわたる周囲磁場又は磁場勾配を示す信号を生成するように構成された少なくとも１つの磁気センサーと、前記磁気センサーからの信号を入力として受信し、前記信号の変化に応答して警報信号を発する信号処理回路と、指示装置とを含むセキュリティー検査装置を備える、部品のキット。
【請求項２３】
前記指示装置は取扱説明書を含む、請求項２２に記載の部品のキット。
【請求項２４】
前記指示装置はテンプレートを含む、請求項２２又は２３に記載の部品のキット。
【請求項２５】
検出ゾーン画定手段を更に備える、請求項２２から２４のいずれか一項に記載の部品のキット。
【国際調査報告】
2019512088.tif 000015
2019512088.tif 000016
2019512088.tif 000017
2019512088.tif 000018